(57)【要約】【課題】  Ａ／Ｄ変換回路を不要とすることが可能なＦＭ復調回路を提供することを目的とする。【解決手段】  ＦＭ受信信号の周波数に対応するパルス列を出力するＥＸ−ＯＲ回路３６と、ＥＸ−ＯＲ回路３６から出力されたパルス列のハイレベル、ローレベルを一定周期毎に判定し、その判定結果がハイレベルのとき前回のカウント値を１つカウントアップし、判定結果がローレベルのとき前回のカウント値を１つカウントダウンするアップダウンカウンタ３と、アップダウンカウンタ３でカウントされたカウント値をデジタル復調しＦＭ受信信号の音声信号の右信号及び左信号を得るデジタルＭＰＸ４５とを備えてＦＭ復調回路２を構成する。【選択図】      図１
2006333151.tif 000002
【特許請求の範囲】
【請求項１】
ＦＭ受信信号の周波数に対応するパルス列を出力するパルス列出力回路と、
前記パルス列出力回路から出力されたパルス列のハイレベル、ローレベルを一定周期毎に判定し、その判定結果がハイレベルのとき前回のカウント値を１つカウントアップし、前記判定結果がローレベルのとき前回のカウント値を１つカウントダウンするアップダウンカウンタと、
前記アップダウンカウンタでカウントされたカウント値をデジタル復調し前記ＦＭ受信信号の音声信号の右信号及び左信号を得るデジタルＭＰＸと、
を備えることを特徴とするＦＭ復調回路。
【請求項２】
請求項１に記載のＦＭ復調回路であって、
前記パルス列出力回路は、前記ＦＭ受信信号の振幅が一定に制限された後所定値にレベルシフトされた信号とその信号を遅延させた信号との排他的論理和を行うことにより前記パルス列を出力する、
ことを特徴とするＦＭ復調回路。
【発明の詳細な説明】
【技術分野】
【０００１】
本発明は、ＦＭ受信信号を復調するＦＭ復調回路に関する。
【背景技術】
【０００２】
図３は、既存のＦＭ復調回路を示す図である。
図３に示すＦＭ受信機３０は、アンテナ３１と、周波数変換回路３２と、リミッタアンプ３３と、レベルシフト回路３４と、ＦＭ復調回路３５とを備えて構成されている（例えば、特許文献１参照）。
【０００３】
周波数変換回路３２は、アンテナ３１で受信したＦＭ受信信号と局部発振信号とを乗算してＦＭ受信信号の周波数を中間周波数に変換する。
リミッタアンプ３３は、中間周波数に変換されたＦＭ受信信号の振幅を一定に制限する。
【０００４】
レベルシフト回路３４は、リミッタアンプ３３から出力された信号の振幅を所定値（例えば、電源電圧）にレベルシフトする。
ＦＭ復調回路３５は、ＥＸ（ｅｘｃｌｕｓｉｖｅ）−ＯＲ回路（排他的論理和回路）３６と、抵抗３７とコンデンサ３８とからなる遅延回路３９と、抵抗４０とコンデンサ４１とからなる積分回路４２と、折返し防止フィルタ４３と、Ａ／Ｄ変換回路４４と、デジタルＭＰＸ（ｍｕｌｔｉｐｌｅｘ）４５とを備えて構成されている。
【０００５】
遅延回路３９は、レベルシフト回路３４から出力された信号を遅延させる。
ＥＸ−ＯＲ回路３６は、レベルシフト回路３４から出力された信号と遅延回路３９により遅延された信号との排他的論理和を行い、ＦＭ受信信号の周波数に対応するパルス列を出力する。
【０００６】
積分回路４２は、ＥＸ−ＯＲ回路３６から出力されたパルス列を積分しＦＭ受信信号の検波後の信号を得る。
折返し防止フィルタ４３は、積分回路４２から出力された信号から妨害信号やノイズを除去する。
【０００７】
Ａ／Ｄ変換回路４４は、折返し防止フィルタ４３から出力されたアナログ信号をデジタルに変換して出力する。
デジタルＭＰＸ４５は、Ａ／Ｄ変換回路４４から出力されたデジタル信号をデジタル復調しＦＭ受信信号の音声信号の右信号（Ｒ）及び左信号（Ｌ）を得る。
【特許文献１】特開平６−２９９３８号公報
【発明の開示】
【発明が解決しようとする課題】
【０００８】
しかしながら、上記ＦＭ復調回路３５では、検波後のデジタル信号から音声信号の右信号及び左信号を得る構成であるため、Ａ／Ｄ変換回路４４が必要であり、その分回路規模が増大するという問題がある。
【０００９】
そこで、本発明では、Ａ／Ｄ変換回路を不要とすることが可能なＦＭ復調回路を提供することを目的とする。
【課題を解決するための手段】
【００１０】
上記の課題を解決するために本発明では、以下のような構成を採用した。
すなわち、本発明のＦＭ復調回路は、ＦＭ受信信号の周波数に対応するパルス列を出力するパルス列出力回路と、前記パルス列出力回路から出力されたパルス列のハイレベル、ローレベルを一定周期毎に判定し、その判定結果がハイレベルのとき前回のカウント値を１つカウントアップし、前記判定結果がローレベルのとき前回のカウント値を１つカウントダウンするアップダウンカウンタと、前記アップダウンカウンタでカウントされたカウント値をデジタル復調し前記ＦＭ受信信号の音声信号の右信号及び左信号を得るデジタルＭＰＸとを備えることを特徴とする。
【００１１】
上記パルス列とは、ＦＭ受信信号の周波数が高いところに対応するパルス間隔が密になり、ＦＭ受信信号の周波数が低いところに対応するパルス間隔が疎になっているパルス列のことであり、アップダウンカウンタによりそのパルス列のレベルに応じてカウント値を一定周期毎にカウントアップまたはカウントダウンさせている。そのため、ＦＭ受信信号の周波数が高いところに対応するカウント値を高く、ＦＭ受信信号の周波数が低いところに対応するカウント値を低くすることができる。従って、パルス列出力回路から出力されるパルス列が積分され、かつ、Ａ／Ｄ変換された値に相当する値をアップダウンカウンタから出力させることができるので、Ａ／Ｄ変換回路が不要となりその分回路規模が増大することを抑えることができる。
【００１２】
また、上記パルス列出力回路は、前記ＦＭ受信信号の振幅が一定に制限された後所定値にレベルシフトされた信号とその信号を遅延させた信号との排他的論理和を行うことにより前記パルス列を出力するように構成してもよい。
【発明の効果】
【００１３】
本発明によれば、ＦＭ復調回路を構成する際、Ａ／Ｄ変換回路を不要とすることができる。
【発明を実施するための最良の形態】
【００１４】
以下、本発明の実施形態を図面を用いて説明する。
図１は、本発明の実施形態のＦＭ復調回路を示す図である。なお、図３に示すＦＭ受信機３０と同じ構成には同じ符号を付している。
【００１５】
図１に示すＦＭ受信機１は、アンテナ３１と、周波数変換回路３２と、リミッタアンプ３３と、レベルシフト回路３４と、ＦＭ復調回路２とを備えて構成されている。
ＦＭ復調回路２は、ＥＸ−ＯＲ回路３６と、抵抗３７とコンデンサ３８とからなる遅延回路３９と、アップダウンカウンタ３と、デジタルＭＰＸ４５とを備えて構成されている。なお、ＦＭ復調回路２は、例えば、ＩＣ（Ｉｎｔｅｇｒａｔｅｄ  Ｃｉｒｃｕｉｔ）上に形成されてもよい。また、特許請求の範囲に記載されるパルス列出力回路は、例えば、ＥＸ−ＯＲ回路３６と、遅延回路３９とにより構成してもよい。
【００１６】
すなわち、抵抗３７の一方の端子がＥＸ−ＯＲ回路３６の一方の入力端子と接続され、抵抗３７の他方の端子がＥＸ−ＯＲ回路３６の他方の入力端子と接続されていると共にコンデンサ３８の一方の端子と接続されている。そして、コンデンサ３８の他方の端子がグランドと接続されている。
【００１７】
アップダウンカウンタ３は、例えば、ＪＫフリップフロップ、ＡＮＤ回路、ＯＲ回路、及びＮＯＴ回路などを用いて構成してもよく、ＥＸ−ＯＲ回路３６から出力されるパルス列のハイレベル、ローレベルを一定周期毎に判定し、その判定結果がハイレベルのとき前回のカウント値を１つカウントアップし、判定結果がローレベルのとき前回のカウント値を１つカウントダウンする。
【００１８】
デジタルＭＰＸ４５は、アップダウンカウンタ３でカウントされたカウント値をデジタル復調しＦＭ受信信号の音声信号の右信号（Ｒ）及び左信号（Ｌ）を得る。
図２は、本実施形態のＦＭ復調回路２を構成する各回路の出力信号の一例を示す図である。なお、図２に示す「Ｌ−１」はレベルシフト回路３４から出力される信号を示し、「Ｌ−２」は遅延回路３９から出力される信号を示し、「Ｐ」はＥＸ−ＯＲ回路３６から出力されるパルス列を示し、「ｃｋ」はアップダウンカウンタ３に入力される一定周期のクロック信号を示し、「ｕｐ  ｄｏｗｎ  ｃｏｕｎｔ」はクロック信号「ｃｋ」のクロックタイミング毎のパルス列「Ｐ」のレベルを示し、「Ｃ」はアップダウンカウンタ３でカウントされるカウント値のイメージを示している。
【００１９】
まず、ＦＭ受信信号は、周波数変換回路３２により周波数が中間周波数に変換された後、リミッタアンプ３３により振幅が一定に制限された後レベルシフト回路３４により振幅が所定値にレベルシフトされると、例えば、図２に示す信号「Ｌ−１」に整形される。また、信号「Ｌ−１」は、遅延回路３９により図２に示す時間ｔ遅延され、信号「Ｌ−２」となる。
【００２０】
次に、信号「Ｌ−１」及び信号「Ｌ−２」がＥＸ−ＯＲ回路３６に入力されると、信号「Ｌ−１」のレベルと信号「Ｌ−２」のレベルとが互いに一致しない期間をハイレベル、信号「Ｌ−１」のレベルと信号「Ｌ−２」のレベルとが互いに一致する期間をローレベルとするパルス列「Ｐ」がＥＸ−ＯＲ回路３６から出力される。そのため、ＥＸ−ＯＲ回路３６から出力されるパルス列は、ＦＭ受信信号の周波数の高いところに対応するパルス間隔が密となり、ＦＭ受信信号の周波数の低いところに対応するパルス間隔が疎となる。
【００２１】
次に、パルス列「Ｐ」がアップダウンカウンタ３に入力されると、クロック信号「ｃｋ」のクロックタイミング毎に、パルス列「Ｐ」のレベルが判定され、パルス列「Ｐ」のレベルがハイレベルのとき（図２に示す「ｕｐ  ｄｏｗｎ  ｃｏｕｎｔ」の上向きの矢印）前回のカウント値「Ｃ」が１つカウントアップされ、パルス列「Ｐ」のレベルがローレベルのとき（図２に示す「ｕｐ  ｄｏｗｎ  ｃｏｕｎｔ」の下向きの矢印）前回のカウント値「Ｃ」が１つカウントダウンされる。
【００２２】
例えば、アップダウンカウンタ３からデジタルＭＰＸ４５に入力されるカウント値「Ｃ」を３ビットとし、前回のカウント値「Ｃ」を「０１０」とし、今回アップダウンカウンタ３に入力されたパルス列「Ｐ」のレベルがハイレベルである場合を考える。このような場合、今回アップダウンカウンタ３でカウントされるカウント値「Ｃ」は、前回のカウント値「０１０」を１つカウントアップした「０１１」となる。
【００２３】
このように、ＥＸ−ＯＲ回路３６から出力されるパルス列は、ＦＭ受信信号の周波数の高いところに対応するパルス間隔が密となり、ＦＭ受信信号の周波数の低いところに対応するパルス間隔が疎となるので、アップダウンカウンタ３によりそのパルス列のレベルに応じてカウント値「Ｃ」を一定周期毎にカウントアップまたはカウントダウンさせると、ＦＭ受信信号の周波数が高いところに対応するカウント値「Ｃ」を高く、ＦＭ受信信号の周波数が低いところに対応するカウント値を低くすることができる。従って、ＥＸ−ＯＲ回路３６から出力されるパルス列が積分され、かつ、Ａ／Ｄ変換された値に相当する値をアップダウンカウンタ３から出力させることができるので、図３に示す積分回路４２、折返し防止回路４３、及びＡ／Ｄ変換回路４４が不要となる。これにより、積分回路４２、折返し防止回路４３、及びＡ／Ｄ変換回路４４が不要になる分ＦＭ復調回路２の回路規模が増大することを抑えることができる。また、積分回路４２が不要となるので、電源電圧の変動の影響により積分回路４２のコンデンサ４１の両端電圧が変動し、そのコンデンサ４１の両端電圧の変動に伴ってＦＭ受信信号の検波後の信号が歪むことを抑えることができる。
【００２４】
なお、デジタルＭＰＸ４５やアップダウンカウンタ３は、それぞれ、ハードウェアにより構成してもよいし、ソフトウェアにより構成してもよい。
【図面の簡単な説明】
【００２５】
【図１】本発明の実施形態のＦＭ復調回路を示す図である。
【図２】本実施形態のＦＭ復調回路を構成する各回路の出力信号の一例を示す図である。
【図３】既存のＦＭ復調回路を示す図である。
【符号の説明】
【００２６】
１      ＦＭ受信機
２      ＦＭ復調回路
３      アップダウンカウンタ
３０      ＦＭ受信機
３１      アンテナ
３２      周波数変換回路
３３      リミッタアンプ
３４      レベルシフト回路
３５      ＦＭ復調回路
３６      ＥＸ−ＯＲ回路
３７      抵抗
３８      コンデンサ
３９      遅延回路
４０      抵抗
４１      コンデンサ
４２      積分回路
４３      折返し防止フィルタ
４４      Ａ／Ｄ変換回路
４５      デジタルＭＰＸ
【図１】
2006333151.tif 000003
【図２】
2006333151.tif 000004
【図３】
2006333151.tif 000005